(57)【要約】【課題】本発明は、表示部にLCD を用いる携帯電話機において、受信感度を妨げるLCD バスからのノイズを低減させる構成を提供する。【解決手段】本発明は、表示部にLCD を用いる携帯電話機において、CPU に接続されているアドレスデータバスをLCD 専用のものと、LCD 以外のものとに分離させるとともに、更にLCD 以外のアクセス時には、LCD 専用アドレスデータバスは、動作させないことを特徴とする携帯電話機。【選択図】図１
2006270991.tif 000002
【特許請求の範囲】
【請求項１】
電話番号や文字等の情報を表示する表示手段を備えた携帯電話機において、
制御手段及び記憶手段等の主要なICに接続されている第１アドレスデータバスと、
前記第１アドレスデータバスとは別に前記制御手段と前記表示手段との間を接続する第２アドレスデータバスと、を備え、
前記制御手段は、前記第２アドレスデータバスに接続された前記表示手段をホールドするように制御することを特徴とする携帯電話機。
【発明の詳細な説明】
【技術分野】
【０００１】
本発明は、表示部にLCD を用いる携帯電話機に関する。
【背景技術】
【０００２】
図３は、表示部にLCD を用いる携帯電話機の従来のアドレスデータバスの構成を示すブロック図である。
【０００３】
図３において、内部の演算及び制御等の処理を行うCPU １からアドレスを指定する情報が出力されると、データの書込み／読み出し可能な内部RAM ２、実行プログラム等を保存している内部ROM ３、ディジタル信号をアナログ信号に変換するDAC ４（D ／A コンバータ）、時間の計時及び経過時間を計るタイマ５、無線の制御を行うRF制御部６、液晶表示部を制御するLCD 制御部７、不揮発性のSRAM８、FLASH ＿ROM ９等の全てに同じ情報が伝送される。
【０００４】
つまり、CPU １にバス１０接続された上記いずれか一つのブロックを制御すると、前記CPU １に接続されている全ての他のブロックに対しアドレスデータバス１０を介して同じ情報が伝達される構成となっている。
【発明の開示】
【発明が解決しようとする課題】
【０００５】
しかしながら、近年の携帯電話機は小型・軽量・薄型化がより一層進み、それにともない端末の上部に位置するLCD がアンテナに対してより一層近づく構造になっている。
【０００６】
図４に示すように、携帯電話機１２に取り付けられるLCD １３が、アンテナ１４に近い構成の場合、LCD １３に接続されているアドレスデータバスから発生するノイズによってアンテナ１４の受信感度が低下するという問題が起こってくる。
【０００７】
これは、小型化が進むにつれて、更にアンテナ１４とLCD １３表示部との距離が短くなり、結果的にLCD １３へ接続されているアドレスデータバスからのノイズが伝わりやすい構造になっている為である。
【０００８】
また、頻繁にバスラインの電圧を低減することにより、アドレスデータバスからのノイズを低減させることはが考えられるが、CPU １にはアクセスタイミングが高速なブロックも接続されているため、頻繁にバスラインの電圧を低減することは不可能である。
【課題を解決するための手段】
【０００９】
上記課題を解決するために請求項１記載の携帯電話機は、電話番号や文字等の情報を表示する表示手段を備えた携帯電話機において、制御手段及び記憶手段等の主要なICに接続されている第１アドレスデータバスと、前記第１アドレスデータバスとは別に前記制御手段と前記表示手段との間を接続する第２アドレスデータバスと、を備え、前記制御手段は、前記第２アドレスデータバスに接続された前記表示手段をホールドするように制御することを特徴とする。
【発明の効果】
【００１０】
以上の構成により、本発明の携帯電話機を用いれば、LCD がアンテナ近傍に配置される携帯電話機においても、LCD 非アクセス時におけるアンテナの受信感度の低下を軽減させることが可能となる。
【００１１】
また、LCD アクセス時においても、独立したLCD 専用アドレスデータバスをコントロールすることで、メモリ等に高速なアクセスを保ちつつ、LCD 専用アドレスデータバスラインのノイズを低減し、アンテナの受信感度の低下を軽減することが可能となり、無線性能を向上するという効果を得る。
【発明を実施するための最良の形態】
【００１２】
以下、本発明の一実施例に基づいて図を用いて説明する。
【００１３】
尚、同一の構成を示す箇所は同一の符号を用いている。
【００１４】
図１は携帯電話機において本発明の一実施例を示すアドレスデータバスの構成を示すブロック図である。
【００１５】
図１は、内部の演算及び制御等の処理を行うCPU １、データの書込み／読み出し可能な内部RAM ２、実行プログラム等を保存している内部ROM ３、ディジタル信号をアナログ信号に変換するDAC ４（D ／A コンバータ）、時間の計時及び経過時間を計るタイマ５、無線の制御を行うRF制御部６、液晶表示部を制御するLCD 制御部７、不揮発性メモリのSRAM８、FLASH ＿ROM ９の各ブロックから構成され、本発明の特徴であるアドレス指定の情報を伝送するアドレスデータバスは、LCD 制御部７だけ他のブロックより独立させたLCD 専用アドレスデータバス１１をCPU １に接続し、他のブロックは共通に使用するアドレスデータバス１０でCPU １に接続されている。
【００１６】
上記構成をとった場合、単独でLCD 制御部７へのアドレスデータバス１１を動作させることが可能となり、LCD 専用アドレスデータバス１１のみの電圧を下げて駆動能力を低下させることにより、LCD 専用アドレスデータバス１１から発生するノイズを低減させることが可能となる。
【００１７】
また、CPU １がメモリ等への高速なアクセスを行った場合でも、LCD 制御部７へのアドレスデータバスは他のブロックが共通に使用するアドレスデータバス１０に対して独立しているため、アンテナはメモリ等への高速なアクセスに対して影響を受けることはない。
【００１８】
このように、LCD 制御部７だけ他のブロックとは独立したLCD 専用アドレスデータバス１１を用いることにより、LCD 制御部７のみホールドしておくことが可能となり、非LCD 制御部７のアクセス時におけるアドレスデータバスからのノイズを最小限に食い止めることが可能となる。
【００１９】
図２は、本発明の一実施例を示し、無線信号の送受信タイミングに合わせてLCD 専用アドレスデータバスを制御するタイミングチャートである。
【００２０】
上から順に、無線信号の送受信タイミング、他のブロックが共通に使用するアドレスデータバスのアクセス制御、LCD 専用アドレスデータバスのアクセス制御のタイミングを示す。
【００２１】
無線信号の受信時はLCD を制御する信号の伝送が影響を及ぼすため、図示したように無線信号を受信するタイミングはLCD に対してアクセスを停止するように制御している。
【図面の簡単な説明】
【００２２】
【図１】本発明の一実施例を示すアドレスデータバスの構成を示すブロック図
【図２】本発明の一実施例を示すLCD 専用アドレスデータバスを制御するタイミングチャート
【図３】従来のアドレスデータバスの構成を示すブロック図
【図４】アンテナとLCD の位置関係を示した携帯電話機の図
【符号の説明】
【００２３】
１： CPU
２：内部RAM
３：内部ROM
４：DAC
５：タイマ
６：RF制御部
７：LCD 制御部
８：SRAM
９：FLASH ＿ROM
１０：アドレスデータバス
１１：LCD 専用アドレスデータバス
１２：携帯電話機
１３：LCD
１４：アンテナ
【図１】
2006270991.tif 000003
【図２】
2006270991.tif 000004
【図３】
2006270991.tif 000005
【図４】
2006270991.tif 000006